【手続補正書】
【提出日】平成17年7月13日(2005.7.13)
【手続補正１】
【補正対象書類名】明細書
【補正対象項目名】特許請求の範囲
【補正方法】変更
【補正の内容】
【特許請求の範囲】
【請求項１】
第１のクロックを生成して出力する第１のクロック生成手段と、
第２のクロックを生成して出力する第２のクロック生成手段と、
前記入力画像信号が前記第１のクロックに基づいてサンプリングされた画像データを前記第１のクロック生成手段から出力される前記第１のクロックを用いて蓄積し、当該蓄積された画像データを前記第２のクロック生成手段から出力される前記第２のクロックを用いて読み出すように構成された記憶手段と、
前記入力画像信号の画像サイズ情報、前記入力水平同期信号の周期情報、表示パネルのサイズ情報および前記第２のクロックの周期情報の各情報に応じて前記記憶手段から前記蓄積された画像データを読み出して表示する際の出力水平同期信号の周期を制御する制御信号を出力する制御手段と、
該制御手段から出力される前記制御信号に基づいて前記出力水平同期信号を出力する同期信号生成手段とを備える画像表示装置。
【請求項２】
入力画像信号の水平同期信号の周期および画像サイズを計測する入力信号計測手段を制御手段の前段に備えることを特徴とする請求項１に記載の画像表示装置。
【請求項３】
制御信号は第２のクロックの周期に乗算される第１および第２の周期情報を含み、同期信号生成手段は前記第２の周期情報の累積加算結果に応じて出力水平同期信号を出力することを特徴とする請求項１に記載の画像表示装置。
【請求項４】
累積加算結果が第２のクロックの１周期分を越える場合の出力水平同期信号の周期と前記累積加算結果が前記第２のクロックの１周期分を越えない場合の出力水平同期信号の周期とが異なることを特徴とする請求項３に記載の画像表示装置。
【請求項５】
出力画像信号を構成する水平ラインのライン位置に応じて出力水平同期信号を出力することを特徴とする請求項１に記載の画像表示装置。
【請求項６】
同期信号生成手段は出力画像信号を構成する水平ラインのライン位置と当該ライン位置に対応して設定される第２のクロックの周期に乗算されるべき所定値とに基づいて出力水平同期信号を出力することを特徴とする請求項５に記載の画像表示装置。
【請求項７】
同期信号生成手段は出力画像信号を構成する水平ラインのライン位置と当該ライン位置に対応して設定される第２のクロックの周期に乗算されるべき予め定められる所定値に加算すべき加算値とに基づいて出力水平同期信号を出力することを特徴とする請求項５に記載の画像表示装置。
【請求項８】
同期信号生成手段は出力画像信号を構成する水平ラインのライン位置と当該ライン位置に対応して設定される第２のクロックの周期に乗算されるべき複数の予め定められる所定値を有し、当該複数の所定値の中から前記ライン位置に応じて選択された所定値に基づいて出力水平同期信号を出力することを特徴とする請求項５に記載の画像表示装置。
【請求項９】
入力画像信号の垂直同期信号を遅延させる遅延手段を備える請求項１に記載の画像表示装置。
【請求項１０】
複数の入力端をさらに備え、当該入力端に入力される入力画像信号を外部からの切替信号により選択し、制御手段は前記切替信号に対応する制御信号を出力するように構成したことを特徴とする請求項１に記載の画像表示装置。
【請求項１１】
第１のクロックを生成し、
第２のクロックを生成し、
前記入力画像信号が前記第１のクロックに基づいてサンプリングされた画像データを前記第１のクロックを用いて記憶手段に蓄積し、
当該蓄積された画像データを前記第２のクロックを用いて前記記憶手段から読み出し、  前記入力画像信号の画像サイズ情報、前記入力水平同期信号の周期情報、表示パネルのサイズ情報および前記第２のクロックの周期情報の各情報に応じて前記記憶手段から前記蓄積された画像データを読み出して表示する際の出力水平同期信号の周期を制御する制御信号を出力し、
該制御信号に基づいて前記出力水平同期信号を出力するようにした画像表示方法。
【請求項１２】
入力画像信号の水平同期信号の周期および画像サイズを計測することを含む請求項１１に記載の画像表示方法。
【請求項１３】
制御信号は第２のクロックの周期に乗算される第１および第２の周期情報を含み、前記第２の周期情報の累積加算結果に応じて出力水平同期信号を出力することを特徴とする請求項１１に記載の画像表示方法。
【請求項１４】
累積加算結果が第２のクロックの１周期分を越える場合の出力水平同期信号の周期と前記累積加算結果が前記第２のクロックの１周期分を越えない場合の出力水平同期信号の周期とが異なることを特徴とする請求項１３に記載の画像表示方法。
【請求項１５】
出力画像信号を構成する水平ラインのライン位置に応じて出力水平同期信号を出力することを特徴とする請求項１１に記載の画像表示方法。
【請求項１６】
出力画像信号を構成する水平ラインのライン位置と当該ライン位置に対応して設定される第２のクロックの周期に乗算されるべき所定値とに基づいて出力水平同期信号を出力することを特徴とする請求項１５に記載の画像表示方法。
【請求項１７】
出力画像信号を構成する水平ラインのライン位置と当該ライン位置に対応して設定される第２のクロックの周期に乗算されるべき予め定められる所定値に加算すべき加算値とに基づいて出力水平同期信号を出力することを特徴とする請求項１５に記載の画像表示方法。
【請求項１８】
出力画像信号を構成する水平ラインのライン位置と当該ライン位置に対応して設定される第２のクロックの周期に乗算されるべき複数の予め定められる所定値を有し、当該複数の所定値の中から前記ライン位置に応じて選択された所定値に基づいて出力水平同期信号を出力することを特徴とする請求項１５に記載の画像表示方法。
【請求項１９】
入力画像信号の垂直同期信号を遅延させる請求項１１に記載の画像表示方法。
【請求項２０】
複数の入力画像信号を外部からの切替信号により選択し、前記切替信号に対応する制御信号を出力するように構成したことを特徴とする請求項１１に記載の画像表示方法。
【手続補正２】
【補正対象書類名】明細書
【補正対象項目名】００８９
【補正方法】変更
【補正の内容】
【００８９】
【課題を解決するための手段】
本発明に係る画像表示装置は、第１のクロックを生成して出力する第１のクロック生成手段と、第２のクロックを生成して出力する第２のクロック生成手段と、前記入力画像信号が前記第１のクロックに基づいてサンプリングされた画像データを前記第１のクロック生成手段から出力される前記第１のクロックを用いて蓄積し、当該蓄積された画像データを前記第２のクロック生成手段から出力される前記第２のクロックを用いて読み出すように構成された記憶手段と、前記入力画像信号の画像サイズ情報、前記入力水平同期信号の周期情報、表示パネルのサイズ情報および前記第２のクロックの周期情報の各情報に応じて前記記憶手段から前記蓄積された画像データを読み出して表示する際の出力水平同期信号の周期を制御する制御信号を出力する制御手段と、該制御手段から出力される前記制御信号に基づいて前記出力水平同期信号を出力する同期信号生成手段とを備える。
【手続補正３】
【補正対象書類名】明細書
【補正対象項目名】００９９
【補正方法】変更
【補正の内容】
【００９９】
本発明に係る画像表示方法は、入力画像信号を構成する水平ラインに対応する入力水平同期信号に基づいて第１のクロックを生成し、第２のクロックを生成し、前記入力画像信号が前記第１のクロックに基づいてサンプリングされた画像データを前記第１のクロックを用いて記憶手段に蓄積し、当該蓄積された画像データを前記第２のクロックを用いて前記記憶手段から読み出し、前記入力画像信号の画像サイズ情報、前記入力水平同期信号の周期情報、表示パネルのサイズ情報および前記第２のクロックの周期情報の各情報に応じて前記記憶手段から前記蓄積された画像データを読み出して表示する際の出力水平同期信号の周期を制御する制御信号を出力し、該制御信号に基づいて前記出力水平同期信号を出力するようにした。
【手続補正４】
【補正対象書類名】明細書
【補正対象項目名】０２９９
【補正方法】変更
【補正の内容】
【０２９９】
本発明に係る画像表示装置は、第１のクロックを生成して出力する第１のクロック生成手段と、第２のクロックを生成して出力する第２のクロック生成手段と、前記入力画像信号が前記第１のクロックに基づいてサンプリングされた画像データを前記第１のクロック生成手段から出力される前記第１のクロックを用いて蓄積し、当該蓄積された画像データを前記第２のクロック生成手段から出力される前記第２のクロックを用いて読み出すように構成された記憶手段と、前記入力画像信号の画像サイズ情報、前記入力水平同期信号の周期情報、表示パネルのサイズ情報および前記第２のクロックの周期情報の各情報に応じて前記記憶手段から前記蓄積された画像データを読み出して表示する際の出力水平同期信号の周期を制御する制御信号を出力する制御手段と、該制御手段から出力される前記制御信号に基づいて前記出力水平同期信号を出力する同期信号生成手段とを備えるので、任意の変換比率での画像の変倍処理を正常に行うことが可能である。
【手続補正５】
【補正対象書類名】明細書
【補正対象項目名】０３０９
【補正方法】変更
【補正の内容】
【０３０９】
本発明に係る画像表示方法は、第１のクロックを生成し、第２のクロックを生成し、前記入力画像信号が前記第１のクロックに基づいてサンプリングされた画像データを前記第１のクロックを用いて記憶手段に蓄積し、当該蓄積された画像データを前記第２のクロックを用いて前記記憶手段から読み出し、前記入力画像信号の画像サイズ情報、前記入力水平同期信号の周期情報、表示パネルのサイズ情報および前記第２のクロックの周期情報の各情報に応じて前記記憶手段から前記蓄積された画像データを読み出して表示する際の出力水平同期信号の周期を制御する制御信号を出力し、該制御信号に基づいて前記出力水平同期信号を出力するようにしたので、任意の変換比率での画像の変倍処理を正常に行うことが可能である。